(57)【要約】【課題】電子ペン記載用紙の情報記載面には、ドットパターン以外に図柄などの印刷が併せて印刷されるが、これらの印刷は情報記載面に集中するために、用紙の表裏面の吸湿バランスが崩れ、用紙がカールするという課題があった。【解決手段】情報記載面に電子ペンにより情報が記載されるとペンが置かれた近傍に印刷されたドットパターンが電子ペンに内蔵された撮像部で読み取られて送信部から外部通信装置に伝送されるデータ入力システムに使用される電子ペン記載用紙であって、前記情報記載面にドットパターン以外の図柄が印刷された場合には、情報記載面の裏面にも情報記載面に印刷された図柄と一部で重なり合う図柄が印刷された電子ペン記載用紙を提供する。【選択図】  図１
2008171290.tif 000002
【特許請求の範囲】
【請求項１】
情報記載面に電子ペンにより情報が記載されると、ペン先が置かれた近傍に印刷されたドットパターンが電子ペンに内蔵された撮像部で読み取られて送信部から外部通信装置に伝送されるデータ入力システムに使用される電子ペン記載用紙であって、
前記情報記載面にドットパターン以外の図柄が印刷された場合には、情報記載面の裏面にも情報記載面に印刷された図柄と一部で重なり合う図柄が印刷されたことを特徴とする電子ペン記載用紙。
【請求項２】
請求項１に記載の電子ペン記載用紙において、
ドットパターンは、赤外領域で反射率が低いインキにより印刷され、
少なくとも、情報記載面と同一面に印刷された図柄は、赤外領域で反射率が高いインキにより印刷されたことを特徴とする電子ペン記載用紙。
【請求項３】
請求項１〜２何れかに記載の電子ペン記載用紙において、
情報記載面に印刷された図柄及び情報記載面の裏面に印刷された図柄は、それぞれが、文字，図表，イラスト，罫線の何れか、または、これらの組み合わせであることを特徴とする電子ペン記載用紙。
【請求項４】
請求項１〜３何れかに記載の電子ペン記載用紙において、
電子ペン記載用紙に使用される紙は、坪量が６３ｇ／ｍ2より大きな紙であることを特徴とする電子ペン記載用紙。
【発明の詳細な説明】
【技術分野】
【０００１】
本発明は、電子ペン記載用紙に関し、詳しくは、記載用紙の情報記載面に図柄を印刷した場合、その裏面にも図柄を印刷した電子ペン記載用紙に関する。
【背景技術】
【０００２】
従来、申込書のような書類を提出する場合、所定の印刷が施された申込用紙に申込者が筆記具で必要事項を記入して提出していた。
近年、このような分野に対して、便利な入力システムが提供されている。
このシステムは、スウェーデンの「Ａｎｏｔｏ社」が開発したデータ入力システムで、「アノトペン」と呼ばれる電子ペンと、所定のドットパターンが印刷された電子ペン書き込み専用用紙（以下、電子ペン記載用紙という）によって、記載された情報をその場で電子化情報とし通信装置に送信するものである。
電子ペンは、通常の筆記部と、筆記部によって用紙の記載面に記載された情報を用紙の記載面に印刷されたドットパターン情報として読み取るための撮像部と、読み取ったドットパターン情報を送信するための通信部等を搭載している。
記載者が電子ペン記載用紙の上に文字などを記載すると、ペンの移動に伴って電子ペンの撮像部が電子ペン記載用紙上のドットパターンを読み取り、記載者が記載した文字などの記載情報（入力情報）を電子情報として記憶する。
電子ペンが記憶した入力情報は、前記通信部により、電子ペンから近くのパーソナルコンピュータや携帯電話などの通信装置に送信される。
電子ペンを使用する前述の入力システムは、電子ペンがキーボードの役割を果たすのであるが、記載者は、従来どおりの感覚で申し込み等を行うことができる。
【０００３】
前記「Ａｎｏｔｏ社」のデータ入力システムではドットパターンが印刷された電子ペン記載用紙が使用されるが、前記ドットパターンは、分野別に割り当てられて使用されている。
また、このシステムでは情報の入力を、電子ペンによる微細なドットパターン読み取りによって行われるために、ドットパターンの印刷品質や印刷される用紙の選定は厳密に行われる。
このような電子ペンを使用する電子ペン記載用紙に関する発明で、従来の配送伝票の製造装置を利用して製造でき、かつ、電子ペンを利用し、サーバー等へのデータ取り込みが容易に行える「電子ペン用配送伝票」が提供されている（例えば、特許文献１参照）。
【０００４】
【特許文献１】特開２００４−１９５９３３号公報
【発明の開示】
【発明が解決しようとする課題】
【０００５】
特許文献１に記載の発明は、配送伝票の情報記載面に電子ペン読取り用のドットパターンと光学読取り可能な伝票コードを印刷しておき、電子ペンを介して受領情報等を収集するものである。
電子ペン記載用紙の情報記載面には、ドットパターン以外に図柄などの印刷が併せて印刷されるが、これらの印刷は情報記載面に集中するために、用紙の表裏面の吸湿バランスが崩れ、用紙がカールするという課題があった。
【課題を解決するための手段】
【０００６】
前記課題を解決するために、本発明の電子ペン記載用紙の第一の態様は、情報記載面に電子ペンにより情報が記載されるとペンが置かれた近傍に印刷されたドットパターンが電子ペンに内蔵された撮像部で読み取られて送信部から外部通信装置に伝送されるデータ入力システムに使用される電子ペン記載用紙であって、前記情報記載面にドットパターン以外の図柄が印刷された場合には、情報記載面の裏面にも情報記載面に印刷された図柄と一部で重なり合う図柄が印刷されたことを特徴とするものである。
【０００７】
また、第二の態様は、第一の態様において、ドットパターンは、赤外領域では反射率が低いインキにより印刷され、少なくとも、情報記載面と同一面に印刷された図柄は、赤外領域では反射率が高いインキにより印刷されたことを特徴とするものである。
【０００８】
また、第三の態様は、第一，第二何れかの態様において、情報記載面に印刷された図柄及び情報記載面の裏面に印刷された図柄は、それぞれが、文字，図表，イラスト，罫線の何れか、または、これらの組み合わせであることを特徴とするものである。
【０００９】
また、第四の態様は、第一，第二，第三何れかの態様において、電子ペン記載用紙に使用される紙は、坪量が６３ｇ／ｍ2より大きな紙であることを特徴とするものである。
【発明の効果】
【００１０】
１）第一の態様のように、情報記載面に電子ペンにより情報が記載されるとペンが置かれた近傍に印刷されたドットパターンが電子ペンに内蔵された撮像部で読み取られて送信部から外部通信装置に伝送されるデータ入力システムに使用される電子ペン記載用紙であって、前記情報記載面にドットパターン以外の図柄が印刷された場合には、情報記載面の裏面にも情報記載面に印刷された図柄と一部で重なり合う図柄が印刷されたことによって、電子ペン記載用紙の両側の紙面から略同量の水分が吸収され、カールが発生しにくいため、電子ペンはドットパターンを誤読することがなく、情報記載面から正確な筆記情報を取得することができる。
２）また、第二の態様のように、第一の態様において、ドットパターンは、赤外領域では反射率が低いインキにより印刷され、少なくとも、情報記載面と同一面に印刷された図柄は、赤外領域では反射率が高いインキにより印刷されたことによって、ドットパターン印刷面に印刷された図柄による影響を受けることなく正確な筆記情報を取得することができる。
３）また、第三の態様のように、第一，第二何れかの態様において、情報記載面に印刷された図柄及び情報記載面の裏面に印刷された図柄は、それぞれが、文字，図表，イラスト，罫線の何れか、または、これらの組み合わせであることによって、情報記載面に印刷される図柄の選択範囲を広げることができる。
４）また、第四の態様のように、第一，第二，第三何れかの態様において、電子ペン記載用紙に使用される紙は、坪量が６３ｇ／ｍ2より大きな紙であることによって、情報記載面の裏面に印刷された図柄が表に透けることがなく、電子ペンは正確な筆記情報を取得することができる。
【発明を実施するための最良の形態】
【００１１】
以下、図面を参照して、本発明の電子ペン記載用紙について説明する。
図１は、電子ペンと本発明の電子ペン記載用紙の一例について説明するための図，図２は、本発明の電子ペン記載用紙の他の一例について説明するための図，図３は、電子ペンの一例について説明するための図，図４は、電子ペン読み取り専用のドットパターンについて説明するための図，である。
【００１２】
図１を参照して、電子ペンと本発明の電子ペン記載用紙の一例について説明する。
この項では、電子ペンを使用した、前述の「Ａｎｏｔｏ社」のデータ入力システムについて併せて説明する。
ａ図は、電子ペン記載用紙１の表面（情報記載欄が設けられた面）の一例を示したものである。電子ペン記載用紙１の表面には、ドットパターン２，電子ペンによって情報を記載するエリアであることを示す情報記載欄１１の罫線，表面印刷図柄３等が印刷されている。
表面印刷図柄３は、文字，図表，イラスト，罫線の何れか、または、これらの組み合わせであってもよい。
電子ペン記載用紙１の表面に印刷された前記ドットパターン２は、情報記載面全面に印刷されたり、情報記載欄１１だけに印刷される。
電子ペンに使用される光源は、赤外領域の光源である場合が多く、ドットパターン２は赤外領域では反射率が低いインキによって印刷され、前記表面印刷図柄３は、赤外領域では反射率が高い印刷インキによって印刷されている。
【００１３】
ｂ図は、電子ペン記載用紙の裏面の一例を示したものである。
電子ペン記載用紙の裏面には、裏面印刷図柄４が印刷されている。ｂ図に示す電子ペン記載用紙の裏面の例では、ａ図に示す表面印刷図柄３と同じ図柄が裏面印刷図柄４として印刷されている。図でわかるように、裏面印刷図柄４は、破線で示す表面印刷図柄３と一部で重なり合って印刷されている。
裏面は電子ペンによって筆記される面ではないために、裏面印刷図柄４は、表面印刷図柄３と同じように赤外領域で反射率が高い印刷インキである必要はない。また、成分的に赤外領域で反射率が低い印刷インキが混入されていたとしても問題が発生することはない。
【００１４】
ここで、図１を一部参照して、電子ペンと電子ペン記載用紙を使用するデータ入力システムの一例について説明する。
電子ペン５は、通常の筆記部と、電子ペン記載用紙１の情報記載面に印刷されたドットパターン２を読み取るための撮像部（図示せず）と、通信部（図示せず）等を搭載している。
電子ペン５は、記載者が電子ペン記載用紙上に電子ペンで文字などを記載すると、ペンの移動に伴って電子ペンに内蔵された撮像部が、ドットパターン２によって表示されたストローク座標情報（以下、単に、座標情報という）を読み取り、通信部が、接続された通信装置（図示せず）に読み取った座標情報を送信する。
通信装置が受信した前記座標情報は、ネット上で接続された電子ペンシステム管理サーバ（図示せず）に送信される。電子ペンシステム管理サーバでテキストデータに変換された前記座標情報は、利用者側のサーバや、前記通信装置に返信される。
通信装置内に電子ペンシステム管理サーバ機能が内蔵されている場合は、電子ペンシステム管理サーバ機能によってテキストデータに変換される。
【００１５】
次に、図３を参照して、電子ペン５について説明する。
電子ペン５は、インクカートリッジ５０８を伴った筆記部５０６，ドットパターンを読み取るデジタルカメラによる撮像部５０５，デジタルカメラで読み取られた筆記情報（ドットパターンの座標情報）を記憶する記憶部５０３，通信装置に座標情報を送信する通信部５０２，これらの機能を制御する制御部５０４，電子ペン用の圧力センサ５０７，図示しないが電源部，で構成され、これらを電子ペン５の筐体５０１の内部に搭載している。
電子ペン５は、電子ペン記載用紙に印刷されたドットパターン情報を撮像部５０５で読み取って記憶部５０３で記憶し、図示しないが、電子ペンのユニークな識別情報などと共に通信部５０２から通信装置に送信する。
通信部５０２は、ＵＳＢ（Ｕｎｉｖｅｒｓａｌ  Ｓｅｒｉａｌ  Ｂｕｓ）対応、または、Ｂｌｕｅｔｏｏｔｈ（Ｔｈｅ  Ｂｌｕｅｔｏｏｔｈ  ＳＩＧ，Ｉｎｃ．の登録商標）対応となっている。
また、電子ペン５の筐体５０１に組み込まれた筆記部５０６は、単なる筆記具として使用することもできるようになっている。
【００１６】
筆記部５０６は、筆記情報を可視状態で記載部に残す役割の他に、デジタルカメラによる撮像部５０５と、ドットパターン印刷面との距離を一定にする役割を担っている。
筆記部５０６が電子ペン筐体５０１に装着されたときに、インクカートリッジ５０８側の先端が、電子ペン筐体５０１に取り付けられた電子ペン用の圧力センサ５０７に接触するようになっている。
この圧力センサ５０７は、情報の記載が開始されることを制御部５０４に伝える機能と、筆圧の強弱を認識する機能を備えている。
また、インクカートリッジ５０８の残量を確認する場合、または、インクを充填する場合は、例えば、筆記部５０６を電子ペン筐体５０１の先端から引き抜いてインクの残量確認、または、インクの充填を行う。
【００１７】
図４を参照して、電子ペン記載用紙に印刷されたドットパターンについて説明する。
図に示す縦横の仮想線は、説明し易くするために記載しており、実際には印刷されているわけではない。
電子ペン専用のドットパターンの各ドットは、０．３ｍｍ間隔で形成された直角に交わる縦横の仮想線の交点近傍に、それぞれ異なる４方向の何れかに配置され、形成されている。
前述の「Ａｎｏｔｏ社」のシステムでは、３６個のドット（約４ｍｍ2の内側に印刷されたドット群）を１単位情報として扱っている。
【００１８】
電子ペンで、電子ペン記載用紙に文字等を記載すると、ペン先がその近傍に印刷されたドットパターンの座標情報を読み取って、ペン先が移動した単位情報の軌跡を電子ペンの記憶部に記憶するようになっている。
電子ペン記載用紙の所定部を電子ペンでマークをすると、電子ペン記載用紙に記載した前記座標情報を電子ペンから通信装置に送信するようになっている。
「Ａｎｏｔｏ社」のシステムでは、一つのアプリケーションには、同一のドットパターンが利用されないように管理される。
【００１９】
前述の電子ペンシステム管理サーバについて説明する。
電子ペンシステム管理サーバは、多くの場合、ＰＬＳサーバと、ＡＳＨサーバに分けられて使用される。
通信装置から送信された座標情報は、まず、ＰＬＳ（Ｐａｐｅｒ  Ｌｏｏｋ−ｕｐ  Ｓｅｒｖｉｃｅ）と呼ばれる電子ペンシステム管理サーバに送信される。
ＰＬＳサーバは、受信したドットパターンの座標情報から、使用されているアプリケーションを割り出して、そのアプリケーション支援を行うＡＳＨ（Ａｐｐｌｉｃａｔｉｏｎ  Ｓｅｒｖｉｃｅ  Ｈａｎｄｌｅｒ）サーバのＵＲＬ（Ｕｎｉｆｏｒｍ  Ｒｅｓｏｕｒｃｅ  Ｌｏｃａｔｏｒ）と座標情報を通信装置に送信する。
【００２０】
前述の通信装置について説明する。
通信装置は、例えば、キーボードなどの入力手段，インターネットに接続されて入力情報を送受信する送受信手段，ディスプレイなどの表示手段，入力情報や読み込んだ情報を保存する保存手段とを有する携帯電話，ＰＤＡ（Ｐｅｒｓｏｎａｌ  Ｄｉｇｉｔａｌ  Ａｓｓｉｓｔａｎｃｅ），パーソナルコンピュータのような装置である。
通信装置は、前述のように、電子ペン５から送信された情報を電子ペンシステム管理サーバに送信し、テキストデータなどに変換された情報として受信する。
【００２１】
図２を参照して、本発明の電子ペン記載用紙の、他の一例について説明する。
ｃ図は、電子ペン記載用紙１の表面の一例を示したものである。電子ペン記載用紙１の表面には、ドットパターン２と表面印刷図柄３，図示しないが罫線、注意文言等が印刷されている。
電子ペン記載用紙１の表面に印刷された前記ドットパターン２は、情報記載面全面に印刷されたり、情報記載欄（図示せず）だけに印刷される。
電子ペンに使用される光源は、赤外領域の光源である場合が多く、ドットパターン２は、赤外領域では反射率が低いインキによって印刷され、また、表面印刷図柄３が、赤外領域では反射率が高い印刷インキによって印刷されている。
図１で説明したように、表面印刷図柄は、文字，図表，イラスト，罫線の何れか、または、これらの組み合わせであってもよい。
【００２２】
ｄ図は、電子ペン記載用紙の裏面の一例を示したものである。
ｄ図に示す電子ペン記載用紙の裏面の例では、アルファベットの肉太文字「Ａ」が裏面印刷図柄４０として印刷されている。裏面印刷図柄４０は、ａ図に示す表面印刷図柄３と印刷面積で同等になっている。
また、ｄ図では図示していないが、裏面印刷図柄４０は、表面印刷図柄３と一部で重なり合った状態で印刷されている。
裏面は電子ペンによって筆記される面ではないために、裏面印刷図柄４０は、表面印刷図柄と同じように赤外領域で反射率が高い印刷インキである必要はない。また、成分的に赤外領域で反射率が低い印刷インキが混入されていたとしても問題が発生することはない。
【００２３】
図１，図２で説明した表面印刷図柄と裏面印刷図柄は、印刷面積が同等であることが好ましいが、実験の結果、どちらかが多少大きくても、どちらかが多少小さくても吸湿によるカール防止効果は変わらない。
また、電子ペン記載用紙に使用する紙として、薄すぎると裏側に印刷された図柄の影響を受け易いために、坪量が６３ｇ／ｍ2を含め、それより大きな紙を選択する。裏面の図柄が赤外領域で反射率が高い印刷インキで印刷されていれば問題は発生しない。
【００２４】
（実施例）
電子ペン記載用紙の印刷用紙として市販の６４ｇ／ｍ2の上質紙を使用した。
何れもカラーの図柄で、印刷面積が約２０％の表面印刷図柄に対し、印刷面積が約３０％の裏面印刷図柄を選択した。
表面のドットパターン印刷には、波長９００ｎｍ領域で反射率が最も低いドットパターン印刷用インキ＜ザ・インクテック（株）製  ＵＶＢＦＳＧインキ＞を使用した。
表裏の図柄には、データ入力に邪魔にならない淡い色の３色印刷図柄を選択し、市販のプロセスインキで印刷した。
印刷は、何れもオフセット方式で印刷した。
上記材料使用により作製した電子ペン記載用紙は、室温１０〜４０°Ｃ，相対湿度２０〜８０％の範囲でカールの発生も少なく良好であった。
「Ａｎｏｔｏ社」のデータ入力システムで使用されている電子ペン，通信装置を使用して試験を行った結果、良好な読取り結果を示した。
【産業上の利用可能性】
【００２５】
あらゆる分野の電子ペン記載用紙に適用し、利用できる。
【図面の簡単な説明】
【００２６】
【図１】電子ペンと本発明の電子ペン記載用紙の一例について説明するための図である。
【図２】本発明の電子ペン記載用紙の、他の一例について説明するための図である。
【図３】電子ペンの一例について説明するための図である。
【図４】電子ペン読み取り専用のドットパターンについて説明するための図である。
【符号の説明】
【００２７】
１      電子ペン記載用紙
２，２０  ドットパターン
３      表面印刷図柄
４，４０  裏面印刷図柄
５      電子ペン
１１    情報記載欄
５０１  筐体
５０２  通信部
５０３  記憶部
５０４  制御部
５０５  撮像部
５０６  筆記部
５０７  圧力センサ
５０８  インクカートリッジ
【図１】
2008171290.tif 000003
【図２】
2008171290.tif 000004
【図３】
2008171290.tif 000005
【図４】
2008171290.tif 000006